(57)【要約】【課題】望遠側がＦ２．０より明るく広角域を含み３．５倍程度の変倍比を有しつつ前玉径が小さく、沈胴時にコンパクトに収納可能なレンズ系を提供すること。【解決手段】物体側より正の第１レンズ群、負の第２レンズ群を有し、正の第３レンズ群とその像側に後続のレンズ群を有し、１、２群の空気間隔は望遠端において広角端より大きく、第２群と第３群の空気間隔は広角端において望遠端より大きい。第１群は１枚の負レンズ、正レンズの２枚のレンズからなり、第２群は３枚の負レンズと２枚の正レンズを含む５枚のレンズにて構成されると共に、第２群は物体側より負の２１レンズ、負の２２レンズ、正の２３レンズ、と後続のレンズにて構成され、負の２２レンズと正の２３レンズは物体側に凸を向けた接合面を有する接合レンズにて構成されると共に所定の条件式を満足するズームレンズ。【選択図】図１
2016191753.tif 000002
【特許請求の範囲】
【請求項１】
物体側より正の第１レンズ群、負の第２レンズ群を有し、正の第３レンズ群とその像側に後続のレンズ群を有し、各レンズ群の空気間隔を変化させる事により変倍を行うズームレンズにおいて、
前記１レンズ群、前記第２レンズ群の空気間隔は望遠端において広角端より大きく、
前記第２レンズ群と前記第３レンズ群の空気間隔は広角端において望遠端より大きく、
前記第１レンズ群は１枚の負レンズ、正レンズの２枚のレンズからなり、
前記第２レンズ群は３枚の負レンズと２枚の正レンズを含む５枚のレンズにて構成されると共に、前記第２レンズ群は物体側より負の２１レンズ、負の２２レンズ、正の２３レンズ、と後続のレンズにて構成され、前記負の２２レンズと正の２３レンズは物体側に凸を向けた接合面を有する接合レンズにて構成されると共に以下の条件式を満足することを特徴とするズームレンズ。
２．５  ＜ｆ２２／ｆ２＜  ４．０
−７．０  ＜ｆ２３／ｆ２＜  −３．０
２５  ＜ν２２−ν２３＜  ５５
ｆ２：第２レンズ群の焦点距離
ｆ２２：第２２レンズの焦点距離
ｆ２３：第２３レンズの焦点距離
ν２２：第２２レンズのアッベ数
ν２３：第２３レンズのアッベ数
【請求項２】
前記負の第２レンズ群は、物体側より負の２１レンズ、負の２２レンズ、正の２３レンズ、負の２４レンズ、正の２５レンズの５枚のレンズにて構成されると共に以下の条件式を満足することを特徴とする請求項１に記載のズームレンズ。
９  ＜ｆ１／  ｆｗ  ＜  １４  
−２．５  ＜ｆ２／ｆｗ＜  −１．０
ｆ１：第１レンズ群の焦点距離
ｆｗ：広角端の焦点距離
【請求項３】
物体側より前記正の第１レンズ群、前記負の第２レンズ群、前記正の第３レンズ群、負の第４レンズ群、正の第５レンズ群にて構成されることを特徴とする請求項１又は請求項２に記載のズームレンズ。
【請求項４】
物体側より前記正の第１レンズ群、前記負の第２レンズ群、前記正の第３レンズ群、負の第４レンズ群、負の第５レンズ群、正の第６レンズ群に構成されることを特徴とする請求項１又は請求項２に記載のズームレンズ。
【請求項５】
前記正の第１レンズ群は、物体側より負の第１１レンズと正の第１２レンズを接合した接合レンズにて構成されることを特徴とする請求項１乃至請求項４の何れか一項に記載のズームレンズ。
【請求項６】
前記正の第３レンズ群は、正の第３１レンズ、負の第３２レンズ、正の第３３レンズ、負の第３４レンズ、正の第３５レンズにて構成され、前記第３２レンズと第３３レンズを接合し、第３４レンズと第３５レンズをそれぞれ接合した構成とすることを特徴とする請求項１乃至請求項５の何れか一項に記載のズームレンズ。
【請求項７】
前記負の第４レンズ群は、正の第４１レンズ、負の第４２レンズ、負の第４３レンズの３枚にて構成したことを特徴とする請求項３又は請求項４に記載のズームレンズ。
【請求項８】
請求項１乃至請求項７の何れか一項に記載のズームレンズを備えたことを特徴とする撮像装置。
【発明の詳細な説明】
【技術分野】
【０００１】
本発明は、デジタルスチルカメラ等に好適な小型で大口径比を有するズームレンズに関し、特に所定の変倍比を確保すると共に、前玉径、収納状態におけるレンズ全長の短縮化を図った携帯性に優れたズームレンズに関する。
【背景技術】
【０００２】
近年、固体撮像素子を用いたビデオカメラ、デジタルスチルカメラ、等の撮像装置においては、高機能化とともに装置全体の小型化がなされている。そして、それに伴って、これらに用いる撮影光学系としては、レンズ全長が短くコンパクトでしかも高性能のズームレンズが要求されている。
【０００３】
又撮影領域の拡大のためＦ２．０より明るいＦｎｏを有するレンズに対するニーズが高まり、所望の変倍比、Ｆｎｏを有しつつも従来と同等の携帯性を備えたカメラに収納出来るズームレンズが要求されている。特に３倍以上の変倍比を有しつつも、ズーム全域にわたりＦ２．０未満の明るいＦｎｏを有するズームレンズに対する期待が高まりつつある。
【０００４】
物体側より、正の第１群、負の第２群、正の第３群を有し各群を移動させて変倍を行うズームレンズとして、以下のレンズが知られている。即ち、特許文献１において、第２群を物体側より負、負、正、負、正の５枚のレンズで構成するレンズが開示されている。また、特許文献２において、第２群を物体側より負、正、負、正、負の５枚のレンズで構成し２枚目の正レンズと３枚目の負レンズを接合したレンズが開示されている。
【先行技術文献】
【特許文献】
【０００５】
【特許文献１】特開２００３−２０２４９９号公報
【特許文献２】特開２００６−３２３２１２号公報
【発明の概要】
【発明が解決しようとする課題】
【０００６】
近年、カメラのコンパクト化、高ズーム比と共に、Ｆ２．０〜Ｆ２．５クラスのＦｎｏの小さいにもかかわらずコンパクトに収納できるズームレンズを用いたカメラが注目されている。その様なレンズにおいては、最も物体側に正レンズ群を配する、正先行型のレンズを用いる事によりズーミングによるＦｎｏの変動を軽減している。
【０００７】
物体側より正の第１群、負の第２群、正の第３群を配し、望遠側で第１群と第２群の空気間隔を増大させる事により負先行型に比べて望遠側を明るくする事が可能となっている。
【０００８】
望遠側においてＦｎｏを小さくすると、望遠画側における、コマ収差、色コマ収差が多く発生する傾向がある為、第２群の構成を３枚の負レンズ、２枚の正レンズを用いて補正する構成が効果的である。即ち、レンズ径の小型化の為に第２群の物体画側に複数の負レンズを配し、最も像側は正レンズの基本構成としつつ、物体寄りの軸外光束の高い位置に接合レンズを配し、色コマ収差を補正する構成である。
【０００９】
特許文献１、２においては、１群の構成を負、正、正の３枚構成としたため、第１群が厚くなる為、広角端において絞りから遠くなり、前玉径が増大し、小型化と大口径の両立には限界があった。
【００１０】
このような正先行のズームレンズにおいては第３群の近傍に絞りを配しているが、第２に５枚、第１群にも３枚以上のレンズ構成とすると、広角域において軸外光束が第１レンズを通る高さが大きくなり、前玉径が大きくなる傾向がある。
【００１１】
本発明においては、望遠側がＦ２．０より明るく広角域を含み３．５倍程度の変倍比を有しつつ前玉径が小さく、沈胴時にコンパクトに収納可能なレンズ系の提供を目的とする。
【課題を解決するための手段】
【００１２】
上記の目的を達成するために、本発明は、物体側より正の第１レンズ群、負の第２レンズ群を有し、正の第３レンズ群とその像側に後続のレンズ群を有する。各レンズ群の空気間隔を変化させる事により変倍を行うズームレンズ系において、１、２群の空気間隔は望遠端において広角端より大きく、第２群と第３群の空気間隔は広角端において望遠端より大きい。前記第１群は１枚の負レンズ、正レンズの２枚のレンズからなり、前記第２群は３枚の負レンズと２枚の正レンズを含む５枚のレンズにて構成されると共に、前記第２群は物体側より負の２１レンズ、負の２２レンズ、正の２３レンズ、と後続のレンズにて構成され、前記負の２２レンズと正の２３レンズは物体側に凸を向けた接合面を有する接合レンズにて構成されると共に以下の条件式を満足する。
【００１３】
２．５  ＜ｆ２２／ｆ２＜  ４．０        ・・（１）
−７．０  ＜ｆ２３／ｆ２＜  −３．０  ・・（２）
２５  ＜ν２２−ν２３＜  ５５・・（３）
ｆ２：第２レンズ群の焦点距離
ｆ２２：第２２レンズの焦点距離
ｆ２３：第２３レンズの焦点距離
ν２２：第２２レンズのアッベ数
ν２３：第２３レンズのアッベ数
更にＢｅｓｔ  ｍｏｄｅに近づける為の望ましい構成は以下の条件を満足する事である。
【００１４】
前記レンズ系において前記第２レンズ群は物体側より負の２１レンズ、負の２２レンズ、正の２３レンズ、負の２４レンズ、正の２５レンズの５枚のレンズにて構成されると共に以下の条件式を満足する。
【００１５】
９  ＜ｆ１／  ｆｗ  ＜  １４      ・・（４）  
−２．５  ＜ｆ２／ｆｗ＜  −１．０    ・・（５）
ｆ１：第１レンズ群の焦点距離
ｆｗ：広角端の焦点距離
また、前記レンズ系において、物体側より正の第１レンズ群、負の第２レンズ群、正の第３レンズ群、負の第４群、正の第５群にて構成されることである。
【００１６】
また、前記レンズ系において、物体側より正の第１レンズ群、負の第２レンズ群、正の第３レンズ群、負の第４群、負の第５群、正の第６群にて構成されることである。
【００１７】
また、前記レンズ系において前記第１群は物体側より負の第１１レンズと正の第１２レンズを接合した接合レンズにて構成されることである。
【００１８】
また、前記レンズ系において前記第３レンズ群は正の第３１レンズ、負の第３２レンズ、正の第３３レンズ、負の第３４レンズ、正の第３５レンズにて構成され、前記第３２レンズと第３３レンズを接合し、第３４レンズと第３５レンズをそれぞれ接合したことである。
【００１９】
また、前記レンズ系において前記第４レンズ群は正の第４１レンズ、負の第４２レンズ、負の第４３レンズの３枚にて構成したことである。
【発明の効果】
【００２０】
本発明によれば、前述の構成により３．５倍程度の変倍比を有しつつ、ズーム全域においてＦ２．０より明るい口径比を有し、コンパクトで携帯性に優れたズームレンズの提供を実現出来る。
【図面の簡単な説明】
【００２１】
【図１】実施例１レンズ断面図（上より広角端、中間、望遠端）
【図２】実施例２レンズ断面図（上より広角端、中間、望遠端）
【図３】実施例３レンズ断面図（上より広角端、中間、望遠端）
【図４Ａ】実施例１の広角端の縦収差図（収差図中、ｄはｄ線、ｇはｇ線、△Ｍはメリディオナル像面）
【図４Ｂ】実施例１の中間の縦収差図
【図４Ｃ】実施例１の望遠端の縦収差図
【図５Ａ】実施例２の広角端の縦収差図（収差図中、ｄはｄ線、ｇはｇ線、△Ｍはメリディオナル像面）
【図５Ｂ】実施例２の中間の縦収差図
【図５Ｃ】実施例２の望遠端の縦収差図
【図６Ａ】実施例３の広角端の縦収差図（収差図中、ｄはｄ線、ｇはｇ線、△Ｍはメリディオナル像面）
【図６Ｂ】実施例３の中間の縦収差図
【図６Ｃ】実施例３の望遠端の縦収差図
【発明を実施するための形態】
【００２２】
以下、本発明を実施するための形態を図面に基づいて説明する。
【００２３】
本発明の実施例１、３においては、ズームレンズは、物体側より正の第１群Ｌ１、負の第２群Ｌ２、正の第３群Ｌ３、負の第４群Ｌ４、正の第５群Ｌ５からなる。本発明の実施例２においては、ズームレンズは、物体側より正の第１群Ｌ１、負の第２群Ｌ２、正の第３群Ｌ３、負の第４群Ｌ４、負の第５群Ｌ５、正の第６群Ｌ６からなる。実施例１〜３において、広角端より望遠端へのズーミング中第１群は非線形に移動し望遠端においては、広角端より物体側に位置する。第２群は非線形に移動し、望遠端においては、広角端より像側に位置する。第３群は物体側へ移動し、第２群と第３群の間に独立に移動するフレアカット絞りを配している。第４群は非線形に移動する。第５群は像面に対してズーム中固定である。
【００２４】
本発明の実施形態においては３．５倍程度の変倍比を有する。この様な高変倍比を有しつつ広角端におけるＦｎｏをＦ１．４程度、望遠端におけるＦｎｏをＦ１．８程度と大口径を実現している。
【００２５】
本発明の実施形態においては、大口径化に伴う広角域周辺部でのコマフレアー、望遠域周辺部でのコマ収差、色コマ収差を第２群を物体寄りに接合レンズを含む、負３枚、正２枚の５枚構成とする事により良好に補正している。
【００２６】
第２群を５枚構成とし、絞りを主変倍群である第３群近傍に配すると、第１群の位置が絞りから離れる為、周辺光束の光線高さが１群近傍で大きくなり、前玉径が増大する傾向がある。
【００２７】
第１群に３枚以上のレンズを使用すると、第１群の厚みが大きくなる為、最物側に配されるレンズの径が一層大きくなってしまう傾向がある。
【００２８】
本発明の実施形態においては、第１群を負、正の２枚構成として前玉径の増大を抑制している。第１群を２枚構成すると望遠域において第１群で発生する色コマ収差が補正しきれなくなる為、第２群の２、３枚目のレンズを接合レンズとしてこの色コマ収差を補正している。
【００２９】
第２群はレンズ径の小型化の為に主点位置が物体寄りに配する構成が望ましく、物体側から負の２１レンズ、負の２２レンズ、正の２３レンズと後続レンズを含む５枚構成としている。
【００３０】
本発明の実施形態においては第１群を２枚構成としている為に望遠側でＦ２．０より明るくした場合、周辺光量を確保する為に望遠域周辺部で色コマ収差が大きく発生する。第１群で発生した色コマ収差を、前記負の２２レンズ、正の２３レンズを接合すると共に各焦点距離とすると共に、該２枚のレンズのアッベ数差を適度につける事により、良好に補正している。
【００３１】
即ち、負の２２レンズと正の２３レンズは物体側に凸を向けた接合面を有する接合レンズにて構成される共に以下の条件式を満足する構成としている。
【００３２】
２．５  ＜ｆ２２／ｆ２＜  ４．０        ・・（１）
−７．０  ＜ｆ２３／ｆ２＜  −３．０    ・・（２）    
２５  ＜ν２２−ν２３＜  ５５          ・・（３）
ｆ２：第２レンズ群の焦点距離
ｆ２２：第２２レンズの焦点距離
ｆ２３：第２３レンズの焦点距離
ν２２：第２２レンズのアッベ数
ｆ２３：第２３レンズのアッベ数
本発明の実施形態においては、前述の如く第２群内のレンズ構成パワー配分を適切に設定すると共に第１群、第２群のパワーを適切に設定する事が望ましい。本件の第１群は負、正の２枚構成となる為、パワーが強すぎると第１群で発生する色コマ収差の発生が大きくなり第２群で補正しきれなくなる。又第２群は前述のレンズ構成において比較的強いパワーを設定し小型化を図るが、やはりパワーが強すぎると色コマ収差が補正困難となる。即ち以下の条件式を満足させると良い。
【００３３】
９  ＜ｆ１／  ｆｗ  ＜  １４          ・・（４）  
−２．５  ＜ｆ２／ｆｗ＜  −１．０    ・・（５）
ｆ１：第１レンズ群の焦点距離
ｆｗ：広角端の焦点距離
本発明の実施形態においては、広角端から望遠域における全域において明るいＦｎｏとしている為、主結像群となる第３群は２組の接合レンズを含む構成として、軸上色収差及び、軸上色収差のズーム変動を補正している。即ち、前記レンズ系において前記第３レンズ群は正の第３１レンズ、負の第３２レンズ、正の第３３レンズ、負の第３４レンズ、正の第３５レンズにて構成され、前記第３２レンズと第３３レンズを接合し、第３４レンズと第３５レンズを各々接合する構成としている。
【００３４】
本発明の実施形態において、広角域、望遠域の中間の像面湾曲変動を補正する構成として、第４群のレンズ構成を正の第４１レンズ、負の第４２レンズ、負の第４３レンズの３枚にて構成している。
【００３５】
実施例１、３においては正、負、正、負、正の５群構成、実施例２においては正、負、正、負、負、正の６群構成としている。６群構成とすると、中間域の像面変動の補正が容易になる反面メカ機構が複雑になるというデメリットもある。
【００３６】
次に各条件式の意味について説明する。
【００３７】
（１）式は第２２レンズの焦点距離を第２レンズ群全体の焦点距離で規格化したもので、（１）式の上限値を超えてｆ２２レンズのパワーが緩くなり過ぎると望遠域における色コマ収差の補正が困難となってくる。（１）式の下限値を超えてｆ２２レンズのパワーが強くなり過ぎると、広角域における歪曲収差の補正が困難となってくるので良くない。
【００３８】
（２）式は第２３レンズの焦点距離を第２レンズ群全体の焦点距離で規格化したもので、（２）式の上限値を超えてｆ２３レンズのパワーが強くなり過ぎるとコバを確保の為第２群全体が厚くなる為、前玉径が増大してくるので良くない。（２）式の下限値を超えてｆ２２３レンズのパワーが緩くなり過ぎると、望遠域における色コマ収差の補正が困難となってくるので良くない。
【００３９】
（３）式は第２２レンズと第２３レンズのアッベ数の差に関するもので、（３）式の上限値又は下限値を超えて該２枚のレンズのアッベ数差が大きくなりすぎる、又は小さくなり過ぎると望遠域における色コマ収差の補正が困難となってくる。
【００４０】
（４）式は第１群の焦点距離を広角端の焦点距離で規格化したもので、（４）式の上限値超えて第１群のパワーが緩くなり過ぎると望遠域における球面収差の補正が困難となってくる。（４）式の下限値を超えて第１群のパワーが強くなり過ぎると。望遠域におけるコマ収差、色コマ収差の補正が困難となってくる。
【００４１】
（５）式は第２群の焦点距離を広角端の焦点距離で規格化したもので、（５）式の上限値超えて第２群のパワーが強くなり過ぎると望遠域におけるコマフレアーの補正が困難となってくる。（５）式の下限値を超えて第２群のパワーが緩くなり過ぎると、第２群のズームストロークが増大し全系が大型化してくるので良くない。
【００４２】
本発明の目的をより最良に近づける為には、以下の条件を満足すると更に良い。
【００４３】
２．８  ＜ｆ２２／ｆ２＜  ３．５                （１ｄ）
−６．０  ＜ｆ２３／ｆ２＜  −４．０            （２ｄ）  
３２  ＜ν２２−ν２３＜  ５０                  （３ｄ）
１０  ＜ｆ１／  ｆｗ  ＜  １２                  （４ｄ）
−２．０  ＜ｆ２／ｆｗ＜  −１．３              （５ｄ）
（数値実施例1）
単位 mm
面テ゛ータ
面番号       r        d      nd         vd
1         31.362    1.00   1.85478    24.8           
2         24.309    5.88   1.69680    55.5           
3         92.408  (可変)                             
4         41.195    0.80   1.88300    40.8           
5         12.501    5.12                             
6        162.439    0.60   1.54247    54.2           
7         14.961    1.80   1.92286    18.9           
8         22.080    3.43                             
9        -26.598    0.60   1.76802    49.2           
10*        35.448    0.30                             
11         23.320    1.84   1.95906    17.5           
12         75.125  (可変)                             
13(絞り)    ∞     (可変)                             
14*        18.632    3.29   1.76802    49.2           
15*       -38.407    1.29                             
16        -15.703    0.70   1.62806    36.0           
17        104.827    2.68   1.83481    42.7           
18        -18.298    1.02                             
19         14.655    0.70   1.95906    17.5           
20          8.608    4.61   1.49700    81.5           
21        -40.708  (可変)                             
22         11.081    1.20   2.00272    19.3           
23         11.576    0.07                             
24         10.083    0.60   1.55332    71.7           
25*         5.906    1.38                             
26        -27.904    0.50   1.48749    70.2           
27         11.750  (可変)                             
28*        14.549    2.82   1.85135    40.1           
29        -25.987  (可変)                             
30          ∞       0.60   1.51633    64.1           
31          ∞     (可変)                             
像面        ∞   
非球面テ゛ータ
第10面
K = 0.00000e+000  A 4= 2.38235e-005  A 6= 1.07351e-007  
第14面
K =-3.39109e+000  A 4= 2.76454e-005  A 6=-1.14902e-007  
第15面
K =-6.19722e+000  A 4= 2.27365e-005  
第25面
K = 0.00000e+000  A 4= 1.29021e-004  A 6= 3.96537e-006  
第28面
K = 0.00000e+000  A 4=-2.04973e-005  A 6= 5.87820e-007  
各種テ゛ータ
ス゛ーム比      3.43 
広角     中間     望遠
焦点距離       6.15    20.03    21.08  
Fナンハ゛ー      1.44     1.85     1.85  
画角          37.08    13.06    12.43  
像高           4.65     4.65     4.65  
レンス゛全長    74.93    77.34    76.67  
BF             3.98     3.98     3.98  
d 3            0.35    16.18    15.90  
d12           21.52     2.30     1.36  
d13            2.20     2.03     2.02  
d21            0.60     5.86     6.55  
d27            4.04     4.75     4.62  
d29            1.82     1.82     1.82  
d31            1.76     1.76     1.76  
ス゛ームレンス゛群テ゛ータ
群  始面    焦点距離  
1    1      71.60  
2    4     -10.20  
3   13       ∞    
4   14      12.48  
5   22     -12.05  
6   28      11.32  
7   30       ∞    
（数値実施例２）
単位 mm
面テ゛ータ
面番号       r        d      nd         vd
1         28.779    1.00   1.85478    24.8           
2         22.146    6.70   1.69680    55.5           
3         87.181  (可変)                             
4         42.286    0.80   1.88300    40.8           
5         12.515    4.66                             
6         82.187    0.60   1.53356    63.8           
7         12.583    1.80   1.92286    18.9           
8         16.080    3.88                             
9        -25.264    0.60   1.76802    49.2           
10*        32.685    0.30                             
11         20.785    1.88   1.95906    17.5           
12         64.334  (可変)                             
13(絞り)    ∞     (可変)                             
14*        19.911    3.23   1.76802    49.2           
15*       -34.685    1.22                             
16        -15.733    0.70   1.64829    34.2           
17         72.101    2.68   1.83481    42.7           
18        -18.079    1.21                             
19         14.582    0.70   1.95906    17.5           
20          8.869    4.60   1.49700    81.5           
21        -40.654  (可変)                             
22         10.857    1.20   2.00272    19.3           
23         10.547    0.30                             
24         12.679    0.60   1.55332    71.7           
25*         6.679  (可変)                             
26        -33.130    0.50   1.48749    70.2           
27         11.960  (可変)                             
28*        12.535    3.22   1.85135    40.1           
29        -28.254  (可変)                             
30          ∞       0.60   1.51633    64.1           
31          ∞     (可変)                             
像面        ∞   
非球面テ゛ータ
第10面
K = 0.00000e+000  A 4= 3.89489e-005  A 6= 8.64543e-008  
第14面
K =-3.79440e+000  A 4= 2.65918e-005  A 6=-1.63388e-007  
第15面
K =-5.56894e+000  A 4= 2.28537e-005  
第25面
K = 0.00000e+000  A 4= 1.34041e-004  A 6= 3.55767e-006  
第28面
K = 0.00000e+000  A 4=-3.18864e-005  A 6=-1.86067e-007  
各種テ゛ータ
ス゛ーム比      3.43 
広角     中間     望遠
焦点距離       6.15    19.94    21.08  
Fナンハ゛ー      1.44     1.85     1.85  
画角          37.08    13.12    12.43  
像高           4.65     4.65     4.65  
レンス゛全長    74.86    78.07    77.96  
BF             3.99     3.99     3.99  
d 3            0.35    15.14    15.03  
d12           19.99     1.98     2.00  
d13            2.12     2.74     2.02  
d21            0.64     5.39     5.73  
d25            1.35     1.92     2.12  
d27            4.04     4.53     4.70  
d29            1.82     1.82     1.82  
d31            1.77     1.77     1.77  
ス゛ームレンス゛群テ゛ータ
群  始面    焦点距離  
1    1      64.38  
2    4      -9.26  
3   13       ∞    
4   14      12.33  
5   22     -30.25  
6   26     -17.96  
7   28      10.58  
8   30       ∞    
（数値実施例３）
単位 mm
面テ゛ータ
面番号       r        d      nd         vd
1         31.344    1.00   1.85478    24.8           
2         24.138    5.97   1.69680    55.5           
3         93.446  (可変)                             
4         41.527    0.80   1.88300    40.8           
5         12.503    5.20                             
6        167.437    0.60   1.51633    64.1           
7         15.443    1.80   1.94595    18.0           
8         21.559    3.47                             
9        -26.404    0.60   1.76802    49.2           
10*        35.338    0.30                             
11         23.319    1.79   1.95906    17.5           
12         72.964  (可変)                             
13(絞り)    ∞     (可変)                             
14*        18.594    3.30   1.76802    49.2           
15*       -38.393    1.28                             
16        -15.707    0.70   1.62852    35.8           
17        100.108    2.70   1.83481    42.7           
18        -18.277    0.99                             
19         14.658    0.70   1.95906    17.5           
20          8.609    4.62   1.49700    81.5           
21        -41.078  (可変)                             
22         11.062    1.20   2.00272    19.3           
23         11.534    0.07                             
24         10.015    0.60   1.55332    71.7           
25*         5.893    1.41                             
26        -27.899    0.50   1.48749    70.2           
27         11.644  (可変)                             
28*        14.462    2.83   1.85135    40.1           
29        -25.974  (可変)                             
30          ∞       0.60   1.51633    64.1           
31          ∞     (可変)                             
像面        ∞   
非球面テ゛ータ
第10面
K = 0.00000e+000  A 4= 2.31782e-005  A 6= 1.04555e-007  
第14面
K =-3.36639e+000  A 4= 2.76754e-005  A 6=-1.16149e-007  
第15面
K =-6.08197e+000  A 4= 2.34966e-005  
第25面
K = 0.00000e+000  A 4= 1.22155e-004  A 6= 4.40076e-006  
第28面
K = 0.00000e+000  A 4=-2.06565e-005  A 6= 6.17290e-007  
各種テ゛ータ
ス゛ーム比      3.43 
広角     中間     望遠
焦点距離       6.15    20.20    21.08  
Fナンハ゛ー      1.44     1.85     1.85  
画角          37.08    12.96    12.43  
像高           4.65     4.65     4.65  
レンス゛全長    74.93    77.69    76.99  
BF             4.00     4.00     4.00  
d 3            0.35    16.40    16.01  
d12           21.39     2.33     1.39  
d13            2.10     1.92     2.02  
d21            0.59     5.98     6.61  
d27            4.05     4.63     4.52  
d29            1.82     1.82     1.82  
d31            1.78     1.78     1.78  
ス゛ームレンス゛群テ゛ータ
群  始面    焦点距離  
1    1      71.32  
2    4     -10.07  
3   13       ∞    
4   14      12.46  
5   22     -12.00  
6   28      11.28  
7   30       ∞    
以下に、本発明の好ましい実施の形態を、添付の図面に基づいて詳細に説明する。図１は本発明の実施形態にかかわる実施例１の断面図である。
【００４４】
（実施例１、３）
以下、図１を参照して、本発明における第１の実施例の構成について説明する。図の上より順にそれぞれ広角端、中間、望遠端を示す。該３ヶ所のズーム位置においては、１、２群は増大し、２、３群間隔は減少し、３、４群間隔は増大し、４、５群は変化する。
【００４５】
実施例１においては、第１群は負正の接合レンズからなる２枚構成、第２群は負メニス、負メニス、両凸正、両凹負、正の５枚構成で２枚目の負レンズと３枚目の正レンズを接合する。第３群は物体側より両凸正、物体側凹面の負レンズ、正レンズ、物体側凸の負メニス、両凸レンズの５枚構成で、２枚目３枚目、及び４枚目、５枚目をそれぞれ接合する。
【００４６】
第４群は正レンズ、負レンズ、負レンズの３枚にて構成される。第５群は正の単レンズにて構成される。
第３群の物体側近傍に絞りを有する。第３群の全体を光軸と垂直方向へシフトさせて手ぶれを補正する防振機構を有する。第４群又は第５群全体を光軸上移動させてフォーカシングを行う。
【００４７】
（実施例２）
該３ヶ所のズーム位置においては、１、２群は増大し、２、３群間隔は減少し、３、４群間隔は増大し、４、５群は変化し、５、６群は変化する。実施例２においては、第１群は負正の接合レンズからなる２枚構成、第２群は負メニス、負メニス、両凸正、両凹負、正の５枚構成で２枚目の負レンズと３枚目の正レンズを接合する。
【００４８】
第３群は物体側より両凸正、物凹の負、正レンズ、物体側凸の負メニス、両凸レンズの５枚構成で、２枚目３枚目、及び４枚目、５枚目をそれぞれ接合する。第４群は正レンズ、負レンズの２枚にて構成される。第５群は負レンズ１枚にて構成される。第６群は正の単レンズにて構成される。第３群の物体側近傍に絞りを有する。第３群の全体を光軸と垂直方向へシフトさせて手ぶれを補正する防振機構を有する。
第５群又は第６群全体を光軸上移動させてフォーカシングを行う。
【００４９】
【表１】
2016191753.tif 000003
【００５０】
以上、本発明はデジタルスチルカメラ等に好適な所定の変倍比を有しつつ、ズーム全域においてＦ２．０より明るい口径比を有し、レンズ全長の短縮化を図りコンパクトで携帯性に優れた小型で広画角のズームレンズが提供できる。
【００５１】
なお、本発明の好ましい実施形態について説明したが、本発明はこれらの実施形態に限定されず、その要旨の範囲内で種々の変形及び変更が可能である。
【符号の説明】
【００５２】
ｄ  ｄ線、ｇ  ｇ線、△Ｍ  メリディオナル像面
【図１】
2016191753.tif 000004
【図２】
2016191753.tif 000005
【図３】
2016191753.tif 000006
【図４Ａ】
2016191753.tif 000007
【図４Ｂ】
2016191753.tif 000008
【図４Ｃ】
2016191753.tif 000009
【図５Ａ】
2016191753.tif 000010
【図５Ｂ】
2016191753.tif 000011
【図５Ｃ】
2016191753.tif 000012
【図６Ａ】
2016191753.tif 000013
【図６Ｂ】
2016191753.tif 000014
【図６Ｃ】
2016191753.tif 000015